(57)【特許請求の範囲】
【請求項１】
電池筐体と、前記電池筐体の上面に形成される正極端子及び負極端子と、によって構成される複数の有極発電要素と、
前記複数の有極発電要素を保持する保持部材と、
前記保持部材によって保持された前記複数の有極発電要素の前記正極端子及び前記負極端子を相互に接続する接続部材と、
前記保持部材に取り付けられることで、前記複数の有極発電要素の前記正極端子及び前記負極端子を覆って保護する保護蓋と、
を備え、
前記正極端子と前記接続部材のうち前記正極端子に接続されている部分とを含む正極部分と、前記負極端子と前記接続部材のうち前記負極端子に接続されている部分とを含む負極部分と、は高さが異なっており、
前記保護蓋は、前記保護蓋を前記保持部材に取り付ける際に、前記正極部分及び前記負極部分のうち高い方に対して物理的に干渉し、前記正極部分及び前記負極部分のうち低い方に対して物理的に干渉しない、選択的干渉部を有する、
組電池。
【請求項２】
請求項１に記載の組電池であって、
各有極発電要素の前記正極端子及び前記負極端子は、何れもオネジである、
組電池。
【請求項３】
請求項２に記載の組電池であって、
各有極発電要素の前記正極端子の前記オネジの長さと、各有極発電要素の前記負極端子の前記オネジの長さが、異なる、
組電池。
【請求項４】
請求項３に記載の組電池であって、
各有極発電要素の前記正極端子の前記オネジは、各有極発電要素の前記負極端子の前記オネジよりも長い、
組電池。
【請求項５】
請求項２〜４の何れかに記載の組電池であって、
前記接続部材は、
バスバーと、
各有極発電要素の前記正極端子又は前記負極端子に対して前記バスバーを固定するための、少なくとも２つのナットと、
を有する、
組電池。
【請求項６】
請求項１に記載の組電池であって、
各有極発電要素の前記正極端子はオネジであり、
各有極発電要素の前記負極端子はメネジであり、
前記接続部材は、前記複数の有極発電要素が直列接続される場合、
バスバーと、
各有極発電要素の前記正極端子に対して前記バスバーを固定するためのナットと、
各有極発電要素の前記負極端子に対して前記バスバーを固定するためのボルトと、
を有し、
各有極発電要素の前記正極端子の前記オネジと、各有極発電要素の前記負極端子の前記メネジに取り付けられた前記ボルトと、は高さが異なっている、
組電池。
【請求項７】
請求項１に記載の組電池であって、
各有極発電要素の前記正極端子はオネジであり、
各有極発電要素の前記負極端子はメネジであり、
前記組電池は、前記複数の有極発電要素が並列接続される場合、前記接続部材として、第１の接続部材と第２の接続部材を備え、
前記第１の接続部材は、
バスバーと、
各有極発電要素の前記正極端子に対して前記バスバーを固定するための、少なくとも２つのナットと、
を有し、
前記第２の接続部材は、
バスバーと、
各有極発電要素の前記負極端子に対して前記バスバーを固定するための、少なくとも２つのボルトと、
を有し、
各有極発電要素の前記正極端子の前記オネジと、各有極発電要素の前記負極端子の前記メネジに取り付けられた前記ボルトと、は高さが異なっている、
組電池。
【請求項８】
請求項１に記載の組電池であって、
各有極発電要素の前記正極端子はメネジであり、
各有極発電要素の前記負極端子はオネジであり、
前記接続部材は、前記複数の有極発電要素が直列接続される場合、
バスバーと、
各有極発電要素の前記正極端子に対して前記バスバーを固定するためのボルトと、
各有極発電要素の前記負極端子に対して前記バスバーを固定するためのナットと、
を有し、
各有極発電要素の前記負極端子の前記オネジと、各有極発電要素の前記正極端子の前記メネジに取り付けられた前記ボルトと、は高さが異なっている、
組電池。
【請求項９】
請求項１に記載の組電池であって、
各有極発電要素の前記正極端子はメネジであり、
各有極発電要素の前記負極端子はオネジであり、
前記組電池は、前記複数の有極発電要素が並列接続される場合、前記接続部材として、第１の接続部材と第２の接続部材を備え、
前記第１の接続部材は、
バスバーと、
各有極発電要素の前記正極端子に対して前記バスバーを固定するための、少なくとも２つのボルトと、
を有し、
前記第２の接続部材は、
バスバーと、
各有極発電要素の前記負極端子に対して前記バスバーを固定するための、少なくとも２つのナットと、
を有し、
各有極発電要素の前記負極端子の前記オネジと、各有極発電要素の前記正極端子の前記メネジに取り付けられた前記ボルトと、は高さが異なっている、
組電池。
【請求項１０】
請求項１〜９の何れかに記載の組電池であって、
前記選択的干渉部は、前記保護蓋の前記有極発電要素側の内面に形成された突部として形成されている、
組電池。
【請求項１１】
請求項１０に記載の組電池であって、
前記保護蓋は、前記選択的干渉部を複数有し、
前記複数の選択的干渉部の前記突部は、相互に連なって形成されている、
組電池。
【請求項１２】
請求項１〜９の何れかに記載の組電池であって、
前記選択的干渉部は、前記保護蓋の前記有極発電要素側の内面に起伏を持たせることで形成されている、
組電池。
【請求項１３】
請求項１〜１２の何れかに記載の組電池であって、
前記保持部材は、前記複数の有極発電要素を取り囲む周壁を有し、
前記保護蓋には、前記保持部材の前記周壁に対して重なり合う鍔部が形成され、
前記保持部材の前記周壁には、突部又は窪み部が形成され、
前記保護蓋の前記鍔部には、前記突部が嵌る窪み部、又は、前記窪み部に嵌る突部が形成されている、
組電池。
【請求項１４】
請求項１〜１２の何れかに記載の組電池であって、
前記保持部材は、前記複数の有極発電要素を取り囲む周壁を有し、
前記保護蓋には、前記保持部材の前記周壁に対して重なり合う鍔部が形成され、
前記保護蓋の前記鍔部は、前記保持部材の前記周壁に対して、前記保持部材に対する前記保護蓋の取り付け方向に対して略直交する方向でネジ止めされる、
組電池。
【請求項１５】
請求項１〜１４の何れかに記載の組電池であって、
前記有極発電要素は、一次電池、二次電池、燃料電池、有極コンデンサのうち何れかである、
組電池。
【請求項１６】
請求項１〜５の何れかに記載の組電池であって、
前記複数の有極発電要素は、前記接続部材によって、直列接続されている、
組電池。
【請求項１７】
請求項１〜５の何れかに記載の組電池であって、
前記複数の有極発電要素は、前記接続部材によって、並列接続されている、
組電池。
【発明の詳細な説明】
【技術分野】
【０００１】
本発明は、組電池に関する。
【背景技術】
【０００２】
この種の技術として、特許文献１は、本願図２０に示すように、複数個の二次電池３００と、複数の二次電池３００を保持する枠体としての組電池枠３０１と、を備えた組電池３０２を開示している。組電池枠３０１は、二次電池３００の底部に配置された底板と、底板の端面に配設された単板３０３、３０４と、単板３０３、３０４に両端部が固定されたそれぞれ２枚の上部、下部サイドバー３０５、３０６と、組電池枠３０１の蓋となる組電池枠上蓋３０７と、により枠状に構成されている。
【０００３】
各二次電池３００は、本願図２１に示すよう、有底電池缶３０８と、有底電池缶３０８の上端部の開口に溶接された上蓋３０９と、上蓋３０９に形成された正極端子３１０及び負極端子３１１と、から構成されている。
【０００４】
そして、各二次電池３００の正極端子３１０及び負極端子３１１は、図示しない接続部材で直列に接続されている。
【先行技術文献】
【特許文献】
【０００５】
【特許文献１】特開２００４−１３４２０３号公報
【発明の概要】
【発明が解決しようとする課題】
【０００６】
上述した特許文献１の組電池３０２には、組電池枠３０１内における複数の二次電池３００の誤接続防止について改善の余地が残されていた。
【０００７】
本願発明の目的は、有極発電要素（二次電池３００に相当。）の正極端子と負極端子を逆さにして保持部材（組電池枠３０１に相当。）に保持させてしまうといった重大なミスを回避するための技術を提供することにある。
【課題を解決するための手段】
【０００８】
本願発明の第１の観点によれば、以下のように構成される、組電池が提供される。即ち、組電池は、正極端子及び負極端子を有する複数の有極発電要素と、前記複数の有極発電要素を保持する保持部材と、前記保持部材によって保持された前記複数の有極発電要素の前記正極端子及び前記負極端子を相互に接続する接続部材と、前記保持部材に取り付けられることで、前記複数の有極発電要素の前記正極端子及び前記負極端子を覆って保護する保護蓋と、を備える。前記負極端子と前記接続部材のうち前記負極端子に接続されている部分とを含む負極部分と、前記正極端子と前記接続部材のうち前記正極端子に接続されている部分とを含む正極部分と、は形状が異なっている。前記保護蓋は、前記保護蓋を前記保持部材に取り付ける際に、前記負極部分に対しては物理的に干渉しないが、前記正極部分に対しては物理的に干渉する、複数の選択的干渉部を有する。
【０００９】
本願発明の第２の観点によれば、以下のように構成される、組電池が提供される。即ち、組電池は、正極端子及び負極端子を有する複数の有極発電要素と、前記複数の有極発電要素を保持する保持部材と、前記保持部材によって保持された前記複数の有極発電要素の前記正極端子及び前記負極端子を相互に接続する接続部材と、前記保持部材に取り付けられることで、前記複数の有極発電要素の前記正極端子及び前記負極端子を覆って保護する保護蓋と、を備える。前記負極端子と前記接続部材のうち前記負極端子に接続されている部分とを含む負極部分と、前記正極端子と前記接続部材のうち前記正極端子に接続されている部分とを含む正極部分と、は形状が異なっている。前記保護蓋は、前記保護蓋を前記保持部材に取り付ける際に、前記正極部分に対しては物理的に干渉しないが、前記負極部分に対しては物理的に干渉する、複数の選択的干渉部を有する。
【００１０】
好ましくは、各選択的干渉部は、前記保護蓋の前記有極発電要素側の内面に形成された突部として形成されている。
【００１１】
好ましくは、前記複数の突部は、相互に連なって形成されている。
【００１２】
好ましくは、各選択的干渉部は、前記保護蓋の前記有極発電要素側の内面に起伏を持たせることで形成されている。
【００１３】
好ましくは、前記保持部材は、前記複数の有極発電要素を取り囲む周壁を有する。前記保護蓋には、前記保持部材の前記周壁に対して重なり合う鍔部が形成される。前記保持部材の前記周壁には、突部又は窪み部が形成され、前記保護蓋の前記鍔部には、前記突部が嵌る窪み部、又は、前記窪み部に嵌る突部が形成されている。
【００１４】
好ましくは、前記保持部材は、前記複数の有極発電要素を取り囲む周壁を有する。前記保護蓋には、前記保持部材の前記周壁に対して重なり合う鍔部が形成される。前記保護蓋の前記鍔部は、前記保持部材の前記周壁に対して、前記保持部材に対する前記保護蓋の取り付け方向に対して略直交する方向でネジ止めされる。
【００１５】
好ましくは、前記有極発電要素は、一次電池、二次電池、燃料電池、有極コンデンサのうち何れかである。
【００１６】
好ましくは、前記複数の有極発電要素は、前記接続部材によって、直列接続されている。
【００１７】
好ましくは、前記複数の有極発電要素は、前記接続部材によって、並列接続されている。
【発明の効果】
【００１８】
本願発明によれば、前記有極発電要素の前記正極端子と前記負極端子を逆さにして前記保持部材に保持させてしまうといった重大なミスについて、前記保護蓋を前記保持部材に取り付ける際に、気づくことができる。従って、前記有極発電要素の前記正極端子と前記負極端子を逆さにして前記保持部材に保持させてしまうといった重大なミスを回避することができる。
【図面の簡単な説明】
【００１９】
【図１】図１は、本願発明の第１実施形態に係る蓄電池の斜視図である。
【図２】図２は、蓄電池ケースの斜視図である。
【図３】図３は、蓄電池ケースに単電池を組み入れている作業の途中状態を示す蓄電池の斜視図である。
【図４】図４は、蓄電池ケースに単電池を組み入れる作業の完了状態を示す蓄電池の斜視図である。
【図５】図５は、蓄電池キャップを蓄電池ケースに取り付ける直前の状態を示す蓄電池の部分拡大正面図である。
【図６】図６は、蓄電池キャップの斜視図である。
【図７】図７は、図６のVII−VII線矢視断面図である。
【図８】図８は、図１のVIII-VIII線矢視断面図である。
【図９】図９は、図４に類似する図であって、中央の二次電池が正負逆に蓄電池ケースに組み入れられている状態を示す図である。
【図１０】図１０は、図１のX-X線矢視断面図に相当する部分拡大断面図であって、本願発明の第２実施形態を示す図である。
【図１１】図１１は、図１０に類似する図であって、本願発明の第３実施形態を示す図である。
【図１２】図１２は、本願発明の第４実施形態に係る蓄電池キャップの斜視図である。
【図１３】図１３は、蓄電池キャップの平面図である。
【図１４】図１４は、図１２のXIV-XIV線矢視断面図である。
【図１５】図１５は、図８に類似する図であって、本願発明の第４実施形態を示す図である。
【図１６】図１６は、図４に類似する図であって、本願発明の第５実施形態を示す図である。
【図１７】図１７は、図１６に類似する図であって、中央の二次電池が正負逆に蓄電池ケースに組み入れられている状態を示す図である。
【図１８】図１８は、図４に類似する図であって、本願発明の第６実施形態を示す図である。
【図１９】図１９は、図１８に類似する図であって、中央の二次電池が正負逆に蓄電池ケースに組み入れられている状態を示す図である。
【図２０】図２０は、特許文献１の図１に相当する図である。
【図２１】図２１は、特許文献１の図２に相当する図である。
【発明を実施するための形態】
【００２０】
以下、図１から図９を参照しつつ、本願発明の第１実施形態を説明する。
【００２１】
図１から図５に示すように、本実施形態において、蓄電池１（組電池）は、複数の二次電池２（有極発電要素、単電池）と、複数の二次電池２を保持する蓄電池ケース３（保持部材）と、蓄電池ケース３によって保持された複数の二次電池２の正極端子４及び負極端子５を相互に接続する接続部材６と、蓄電池ケース３に取り付けられることで、複数の二次電池２の正極端子４及び負極端子５を覆って保護する蓄電池キャップ７（保護蓋）とを主たる構成として備えている。本実施形態において複数の二次電池２は、角型電池であって、図３や図４に示すように接続部材６によって直列接続されている。
【００２２】
（蓄電池ケース３）
蓄電池ケース３は、図２に示すように、底壁３ａと、底壁３ａの周縁から環状に延びる周壁３ｂと、から成る有底角筒状に形成されている。本実施形態において蓄電池ケース３は、５つの二次電池２を一列に並べた状態で収容可能に構成されている（図３や図４も併せて参照）。蓄電池ケース３の周壁３ｂの内周面３ｃには、５つの二次電池２を蓄電池ケース３内に所定間隔で整列させるためのガイドリブ３ｄが形成されている。蓄電池ケース３の周壁３ｂの上端面３ｅは平坦に形成されている。
【００２３】
（二次電池２）
二次電池２は、図３に示すように、電池筐体２ａと、電池筐体２ａの上面２ｂに形成される正極端子４及び負極端子５と、から構成されている。本実施形態において正極端子４はオネジであり、負極端子５はメネジとなっている。また、二次電池２の電池筐体２ａの上面２ｂにおいて、正極端子４の近傍には正極端子４が正極側の端子であることをアピールするためのプラスの極性マークが、また、負極端子５の近傍には負極端子５が負極側の端子であることをアピールするためのマイナスの極性マークが、エンボス加工により描かれている。
【００２４】
（接続部材６）
接続部材６は、図３及び図４に示すように、正極端子４と負極端子５を電気的に連結するためのバスバー８と、バスバー８を正極端子４に固定するための六角ナット９と、バスバー８を負極端子５に固定するための六角ボルト１０と、によって構成されている。図３に示すように、バスバー８は、長手方向の一方の端部である第１端部８ａと、長手方向の他方の端部である第２端部８ｂとを有している。バスバー８の第１端部８ａには、第１取り付け孔８ｃが形成されている。バスバー８の第２端部８ｂには、第２取り付け孔８ｄが形成されている。そして、バスバー８の第１端部８ａは、第１端部８ａの第１取り付け孔８ｃを貫通した六角ボルト１０が負極端子５に締結されることで、負極端子５に対して固定される。同様に、バスバー８の第２端部８ｂは、第２端部８ｂの第２取り付け孔８ｄ内に正極端子４を貫通させた上で、正極端子４に六角ナット９を締結することで、正極端子４に対して固定される。図３に示すように、本実施形態において正極端子４は、正極端子４に接続部材６のバスバー８の第２端部８ｂと、接続部材６の六角ナット９とを取り付けた状態で、六角ナット９から若干突出してはみ出るようになっている。従って、図５に示すように、正極端子４と、接続部材６のバスバー８の第２端部８ｂと、接続部材６の六角ナット９と、を含む正極部分１１と、負極端子５と、接続部材６のバスバー８の第１端部８ａと、接続部材６の六角ボルト１０と、を含む負極部分１２とは形状が異なっている。端的に言えば、正極部分１１と負極部分１２は形状が異なっている。詳しくは、図５に示すように、蓄電池ケース３の周壁３ｂの上端面３ｅを基準とした正極部分１１の高さH1と、蓄電池ケース３の周壁３ｂの上端面３ｅを基準とした負極部分１２の高さH2との間には、H1＞H2の関係が成立している。なお、本明細書において、「形状が同一である」とは、形状が相似形であり、且つ、大きさが同一であると定義する。従って、部材Aと部材Bとが形状は相似形であるが大きさが異なる場合は部材Aと部材Bは形状が同一ではない。
【００２５】
（接続部材６による接続形態）
前述したように、複数の二次電池２は、図３及び図４に示すように、接続部材６によって直列接続されている。具体的には、図３及び図４に示すように、複数の二次電池２は、正極端子４と負極端子５が交互に入れ替わるように蓄電池ケース３に収容されている。こうすることで、隣り合う二次電池２の正極端子４と負極端子５が互いに近傍に配置されることになり、もって、接続部材６のバスバー８に必要とされる長さが抑えられている。
【００２６】
（蓄電池キャップ７）
蓄電池キャップ７は、図６に示すように、略平板状のキャップ本体７ａと、キャップ本体７ａの周縁に接続し、キャップ本体７ａに対して略直交する方向に延びる第１鍔部７ｂと、第１鍔部７ｂの下端７ｃに接続し、下端７ｃの外周側で、キャップ本体７ａに対して略直交する方向に延びる第２鍔部７ｄ（鍔部）と、から構成されている。
【００２７】
図６及び図７に示すように、蓄電池キャップ７のキャップ本体７ａは、凹凸形状に形成されている。即ち、蓄電池キャップ７のキャップ本体７ａの二次電池２側の内面７ｅは凹凸状に形成されている。換言すれば、蓄電池キャップ７のキャップ本体７ａの二次電池２側の内面７ｅには起伏を持たせている。詳しくは、図７に示すように、蓄電池キャップ７のキャップ本体７ａは、蓄電池キャップ７の第１鍔部７ｂの下端７ｃの下端面７ｆを基準とした内面７ｅの高さがH3であるオネジ収容空間形成部７ｇと、蓄電池キャップ７の第１鍔部７ｂの下端７ｃの下端面７ｆを基準とした内面７ｅの高さがH4であるオネジ干渉部７ｈ（選択的干渉部）と、を含んで構成されている。そして、蓄電池キャップ７のオネジ収容空間形成部７ｇの高さH3と、蓄電池キャップ７のオネジ干渉部７ｈの高さH4との間には、H3＞H4の関係が成立している。オネジ収容空間形成部７ｇの存在により、蓄電池キャップ７のキャップ本体７ａの内面７ｅには、オネジ収容空間ｇが窪み状に形成されている。図１と図４を比較して判る通り、蓄電池キャップ７のオネジ収容空間形成部７ｇは正極端子４（正極部分１１の一部）に対向する位置に形成されており、オネジ干渉部７ｈは負極端子５（負極部分１２の一部）に対向する位置に形成されている。
【００２８】
（蓄電池ケース３に対する蓄電池キャップ７の取り付け）
図４に示すように蓄電池ケース３に複数の二次電池２が収容され、複数の二次電池２が接続部材６によって相互に直列接続された状態で、図８に示すように、蓄電池キャップ７を蓄電池ケース３に対して太線矢印A（蓄電池キャップ７のキャップ本体７ａの内面７ｅに対して略直交する方向、取り付け方向）で示す方向に押さえ付け、例えば接着などの固定手段によって蓄電池キャップ７を蓄電池ケース３に対して取り付ける。このとき、蓄電池ケース３の周壁３ｂの上端面３ｅに対して、蓄電池キャップ７の第１鍔部７ｂの下端７ｃの下端面７ｆが直接、面接触する。また、蓄電池キャップ７の第２鍔部７ｄは、蓄電池ケース３の周壁３ｂに対して外周側から重なり合っている。
【００２９】
図８に示す状態で、接続部材６の六角ナット９から突出してはみ出ている正極端子４の先端部４ａは、蓄電池キャップ７のオネジ収容空間形成部７ｇによって形成されているオネジ収容空間ｇに収容されている。詳しくは、図５に示す正極部分１１の高さH1と、図７に示すオネジ収容空間形成部７ｇの高さH3との間にはH1≒H3且つH3＞H1の関係が成立している。端的に言えば、正極部分１１の正極端子４の先端部４ａは、先端側にごく僅かな隙間を残しつつ、蓄電池キャップ７のオネジ収容空間形成部７ｇによって覆われている。
【００３０】
一方、図５に示す負極部分１２の高さH2と、図７に示すオネジ干渉部７ｈの高さH4との間にはH2≒H4且つH4＞H2の関係が成立している。端的に言えば、負極部分１２の六角ボルト１０の頂部１０ａは、先端側にごく僅かな隙間を残しつつ、蓄電池キャップ７のオネジ干渉部７ｈによって覆われている。
【００３１】
更に言えば、図５に示す正極部分１１の高さH1と、図７に示すオネジ干渉部７ｈの高さH4との間には、H1＞H4の関係が成立している。従って、仮に図９に示すように何れか二次電池２を、正極端子４と負極端子５を逆さにして蓄電池ケース３に保持させた場合、図８に示すように蓄電池キャップ７を蓄電池ケース３に対して太線矢印Aの方向で取り付ける際、正極部分１１の正極端子４の先端部４ａと、蓄電池キャップ７のオネジ干渉部７ｈとが対向し、そして、蓄電池キャップ７のオネジ干渉部７ｈが正極部分１１に対して物理的に干渉することとなる。この結果、図８に示す蓄電池ケース３の周壁３ｂの上端面３ｅと、蓄電池キャップ７の第１鍔部７ｂの下端７ｃの下端面７ｆと、が完全に面接触することが阻害され、蓄電池ケース３に対して蓄電池キャップ７がガタツクことになる。従って、蓄電池１の組立作業者は、単に蓄電池ケース３に対して蓄電池キャップ７を取り付けるだけで、各二次電池２の正極端子４と負極端子５の向きが適正であるか否かをチェックする機会が与えられる。なお、このとき、蓄電池キャップ７のオネジ収容空間形成部７ｇは、負極部分１２に対して対向するものの、物理的に干渉することはない。なぜなら、蓄電池キャップ７のオネジ収容空間形成部７ｇの高さH3と、負極部分１２の高さH2との間には、H3＞H2が成立しているからである。
【００３２】
（まとめ）
以上説明したように本実施形態において蓄電池１は、図１から図８に示すように、以下のように構成されている。即ち、蓄電池１は、正極端子４及び負極端子５を有する複数の二次電池２と、複数の二次電池２を保持する蓄電池ケース３と、蓄電池ケース３によって保持された複数の二次電池２の正極端子４及び負極端子５を相互に接続する接続部材６と、蓄電池ケース３に取り付けられることで、複数の二次電池２の正極端子４及び負極端子５を覆って保護する蓄電池キャップ７と、を備える。負極端子５と接続部材６のうち負極端子５に接続されている部分（バスバー８の第１端部８ａ、六角ボルト１０）とを含む負極部分１２と、正極端子４と接続部材６のうち正極端子４に接続されている部分（バスバー８の第２端部８ｂ、六角ナット９）とを含む正極部分１１と、は形状が異なっている。蓄電池キャップ７は、蓄電池キャップ７を蓄電池ケース３に取り付ける際に、負極部分１２に対しては物理的に干渉しないが、正極部分１１に対しては物理的に干渉する、複数のオネジ干渉部７ｈ（選択的干渉部）を有する。◆以上の構成によれば、二次電池２の正極端子４と負極端子５を逆さにして蓄電池ケース３に保持させてしまうといった重大なミスについて、蓄電池キャップ７を蓄電池ケース３に取り付ける際に、気づくことができる。従って、二次電池２の正極端子４と負極端子５を逆さにして蓄電池ケース３に保持させてしまうといった重大なミスを回避することができる。
【００３３】
即ち、十分注意しても人間が組み立てた場合には誤りを見逃す可能性があるが、上記の構成によれば、誤りがある場合は組み立てが正しく完了できないことにより、誤りを強力に排除できる。
【００３４】
また、図７や図８に示すように、各選択的干渉部は、蓄電池キャップ７の二次電池２側の内面７ｅに起伏を持たせることで形成されている。◆以上の構成によれば、オネジ干渉部７ｈが既存の部品である蓄電池キャップ７の一部として形成されることになるので、安価となる。
【００３５】
また、図３や図４に示すように、複数の二次電池２は、接続部材６によって、直列接続されている。◆以上の接続形態においては、例えば図４と図９を見比べると判る通り、二次電池２の正極端子４と負極端子５を逆さにして蓄電池ケース３に保持させてしまうといった重大なミスが特に発生し易く、その上、このミスに気づき難い。従って、上述したオネジ干渉部７ｈを伴った技術的アイデアは、特に二次電池２が直列接続されているときに一層有意義なものとなると言える。
【００３６】
以上に本願発明の好適な第１実施形態を説明したが、上記第１実施形態は例えば以下のように変更できる。
【００３７】
即ち、例えば、上記第１実施形態において蓄電池１は複数の二次電池２を備えるものとしたが、これに代えて、複数の一次電池を備えることとしてもよいし、複数の燃料電池を備えることとしてもよいし、複数の有極コンデンサを備えることとしてもよい。
【００３８】
また、上記第１実施形態において複数の二次電池２は接続部材６によって直列接続されるとしたが、これに代えて、並列接続されることとしてもよい。
【００３９】
また、上記第１実施形態において蓄電池キャップ７は、負極部分１２に対しては物理的に干渉しないが、正極部分１１に対しては物理的に干渉する部分（オネジ干渉部７ｈに相当。）を設けることとした。しかし、これに代えて、蓄電池キャップ７は、正極部分１１に対しては物理的に干渉しないが、負極部分１２に対しては物理的に干渉する部分を設けることとしてもよい。ただし、この場合、例えば、接続部材６の六角ボルト１０の頂部１０ａを接続部材６の六角ナット９よりも高くしたり、接続部材６の六角ボルト１０の頂部１０ａを接続部材６の六角ナット９よりも幅広にしたり、といったような追加の設計変更が必要となる。
【００４０】
（第２実施形態）
次に、図１０を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４１】
上記第１実施形態において蓄電池キャップ７は蓄電池ケース３に対して例えば接着などの固定手段によって取り付けられているとした。しかし、これに代えて、本実施形態において蓄電池ケース３の周壁３ｂの外周面３ｆには、突部３ｇが形成されている。また、蓄電池キャップ７の第２鍔部７ｄの内周面７ｉには、蓄電池ケース３の周壁３ｂの突部３ｇが嵌る窪み部７ｊが形成されている。そして、蓄電池ケース３に対して蓄電池キャップ７を太線矢印Aの方向に押し当てると、蓄電池キャップ７の第２鍔部７ｄは、蓄電池ケース３の突部３ｇに対して物理的に干渉することで一旦、外周側へ向かって弾性変形する。その後、蓄電池キャップ７の窪み部７ｊに蓄電池ケース３の突部３ｇが嵌ると、蓄電池キャップ７の第２鍔部７ｄは勢い良く元の位置に戻って、蓄電池キャップ７の内周面７ｉが蓄電池ケース３の外周面３ｆに衝突し、衝突音が発せられる。もし、二次電池２の正極端子４と負極端子５を逆さにして蓄電池ケース３に保持させていたとすると、前述した物理的干渉が生じ、蓄電池ケース３の突部３ｇは、蓄電池キャップ７の窪み部７ｊに嵌ることができない。蓄電池ケース３の突部３ｇが蓄電池キャップ７の窪み部７ｊに嵌ることができないので、上記の衝突音は発生しない。この理屈で言えば、蓄電池１の組立作業者は、単に蓄電池ケース３に対して蓄電池キャップ７を取り付け、上記の衝突音を確認するだけで、各二次電池２の正極端子４と負極端子５の向きが適正であるか否かをチェックすることができる。
【００４２】
（まとめ）
以上説明したように本実施形態において蓄電池１は、以下のように構成されている。即ち、蓄電池ケース３は、複数の二次電池２を取り囲む周壁３ｂを有する。蓄電池キャップ７には、蓄電池ケース３の周壁３ｂに対して重なり合う第２鍔部７ｄが形成される。蓄電池ケース３の周壁３ｂには、突部３ｇが形成され、蓄電池キャップ７の第２鍔部７ｄには、突部３ｇが嵌る窪み部７ｊが形成されている。◆以上の構成によれば、蓄電池１の組立作業者は、単に蓄電池ケース３に対して蓄電池キャップ７を取り付け、上記の衝突音を確認するだけで、各二次電池２の正極端子４と負極端子５の向きが適正であるか否かをチェックすることができる。
【００４３】
以上に本願発明の好適な第２実施形態を説明したが、上記第２実施形態は例えば以下のように変更できる。
【００４４】
上記第２実施形態では、蓄電池ケース３の周壁３ｂの外周面３ｆに突部３ｇを設け、蓄電池キャップ７の第２鍔部７ｄの内周面７ｉに窪み部７ｊを設けることとした。しかし、これに代えて、蓄電池ケース３の周壁３ｂの外周面３ｆに窪み部（窪み部７ｊに相当。）を設け、蓄電池キャップ７の第２鍔部７ｄの内周面７ｉに突部（突部３ｇに相当。）を設けてもよい。
【００４５】
（第３実施形態）
次に、図１１を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４６】
上記第１実施形態において蓄電池キャップ７は蓄電池ケース３に対して例えば接着などの固定手段によって取り付けられている。しかし、これに代えて、本実施形態において蓄電池ケース３の周壁３ｂにはメネジ１３が太線矢印Aと略直交する方向に形成されている。同様に、蓄電池キャップ７の第２鍔部７ｄには取り付け孔１４が太線矢印Aと略直交する方向に形成されている。そして、蓄電池ケース３に対して蓄電池キャップ７を載せた上で、取り付け固定ネジ１５を取り付け孔１４へ太線矢印Aと略直交する方向で挿入しメネジ１３にネジ止めすることで、蓄電池キャップ７は蓄電池ケース３に対して固定されることになる。もし、二次電池２の正極端子４と負極端子５を逆さにして蓄電池ケース３に保持させていたとすると、前述した物理的干渉が生じ、取り付け孔１４とメネジ１３が同軸上とは成り得ない。取り付け孔１４とメネジ１３が同軸上でないと、取り付け固定ネジ１５を取り付け孔１４とメネジ１３に同時に挿入することができない。この理屈で言えば、蓄電池１の組立作業者は、単に蓄電池ケース３に対して蓄電池キャップ７を取り付け、取り付け固定ネジ１５を取り付け孔１４へ挿入した上でメネジ１３にネジ止めできそうかを確認するだけで、各二次電池２の正極端子４と負極端子５の向きが適正であるか否かをチェックすることができる。
【００４７】
（まとめ）
以上説明したように本実施形態において蓄電池１は、以下のように構成されている。即ち、蓄電池ケース３は、複数の二次電池２を取り囲む周壁３ｂを有する。蓄電池キャップ７には、蓄電池ケース３の周壁３ｂに対して重なり合う第２鍔部７ｄが形成される。蓄電池キャップ７の第２鍔部７ｄは、蓄電池ケース３の周壁３ｂに対して、太線矢印Aに対して略直交する方向でネジ止めされる。◆以上の構成によれば、蓄電池１の組立作業者は、単に蓄電池ケース３に対して蓄電池キャップ７を取り付け、取り付け固定ネジ１５を取り付け孔１４へ挿入した上でメネジ１３にネジ止めできそうかを確認するだけで、各二次電池２の正極端子４と負極端子５の向きが適正であるか否かをチェックすることができる。
【００４８】
（第４実施形態）
次に、図１２から図１５を参照しつつ、本願発明の第４実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４９】
上記第１実施形態では図６や図７に示すように蓄電池キャップ７のキャップ本体７ａには起伏を持たせている。しかし、これに代えて、本実施形態では図１２から図１４に示すように蓄電池キャップ７のキャップ本体７ａは平坦状となっており、蓄電池キャップ７のキャップ本体７ａの内面７ｅには、複数のリブ部１６（突部、選択的干渉部）が形成されている。各リブ部１６は、図４や図５、図１３、図１４を比較して判る通り、負極端子５（負極部分１２の一部）に対向する位置に形成されている。各リブ部１６は、図１３に示すように連結リブ部１７を介して相互に連結されている。そして、図１４に示すように、蓄電池キャップ７のキャップ本体７ａの内面７ｅは、蓄電池キャップ７の第１鍔部７ｂの下端７ｃの下端面７ｆを基準とした高さH５（＝H3）を有している。同様に、蓄電池キャップ７のリブ部１６の下端面１６ａは、蓄電池キャップ７の第１鍔部７ｂの下端７ｃの下端面７ｆを基準とした高さH6（＝H４）を有している。
【００５０】
（蓄電池ケース３に対する蓄電池キャップ７の取り付け）
図４に示すように蓄電池ケース３に複数の二次電池２が収容され、複数の二次電池２が接続部材６によって相互に直列接続された状態で、図１５に示すように、蓄電池キャップ７を蓄電池ケース３に対して太線矢印Aで示す方向に押さえ付け、例えば接着などの固定手段によって蓄電池キャップ７を蓄電池ケース３に対して取り付ける。
【００５１】
図１５に示す状態で、接続部材６の六角ナット９から突出してはみ出ている正極端子４の先端部４ａ（正極部分１１の一部）は、先端側にごく僅かな隙間を残しつつ、蓄電池キャップ７のキャップ本体７ａと対向している。一方、六角ボルト１０の頂部１０ａ（負極部分１２の一部）は、先端側にごく僅かな隙間を残しつつ、蓄電池キャップ７のキャップ本体７ａのリブ部１６と対向している。
【００５２】
仮に図９に示すように何れか二次電池２を、正極端子４と負極端子５を逆さにして蓄電池ケース３に保持させた場合、図１５に示すように蓄電池キャップ７を蓄電池ケース３に対して太線矢印Aの方向で取り付ける際、正極端子４の先端部４ａ（正極部分１１の一部）と、蓄電池キャップ７のキャップ本体７ａのリブ部１６と、が物理的に干渉することとなる。この結果、蓄電池ケース３に対して蓄電池キャップ７がガタツクことになる。従って、蓄電池１の組立作業者は、単に蓄電池ケース３に対して蓄電池キャップ７を取り付けるだけで、各二次電池２の正極端子４と負極端子５の向きが適正であるか否かをチェックする機会が与えられる。
【００５３】
（まとめ）
以上説明したように本実施形態において蓄電池１は、以下のように構成されている。即ち、各選択的干渉部は、蓄電池キャップ７の二次電池２側の内面７ｅに形成されたリブ部１６として形成されている。◆以上の構成によれば、選択的干渉部が既存の部品である蓄電池キャップ７の一部として形成されることになるので、安価となる。
【００５４】
また、複数のリブ部１６は、相互に連なって形成されている。◆以上の構成によれば、蓄電池キャップ７のキャップ本体７ａの強度向上に寄与する。
【００５５】
（第５実施形態）
次に、図１６と図１７を参照しつつ、本願発明の第５実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５６】
上記第１実施形態において正極端子４はオネジであり、負極端子５はメネジとした。しかし、これに代えて、本実施形態では、図１６に示すように、正極端子４も負極端子５もオネジとし、正極端子４のオネジを負極端子５のオネジよりも長いものとした。この場合、接続部材６は、バスバー８と二つの六角ナット９によって構成されることになる。そして、蓄電池キャップ７のオネジ干渉部７ｈは、負極部分１２に対しては干渉せず、正極部分１１に対してのみ干渉するように、図７に示す高さH4が適宜に調整されている。参考までに、何れか二次電池２を、正極端子４と負極端子５を逆さにして蓄電池ケース３に保持させた様子を図１７に示す。図１７に示すように、一般的に、オネジの長さにおける差異は、視覚的に認識し難いものである。このように正極端子４も負極端子５もオネジである場合、正極部分１１や負極部分１２に対する蓄電池キャップ７の物理的な干渉の有無を利用する上述の技術アイデアは一層有益となる。
【００５７】
（第６実施形態）
次に、図１８と図１９を参照しつつ、本願発明の第６実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５８】
上記第１実施形態において複数の二次電池２は、図３や図４に示すように、正極端子４と負極端子５が交互に入れ替わるように蓄電池ケース３に収容されており、複数の二次電池２は直列接続されるとした。しかし、これに代えて、本実施形態では、図１８に示すように、複数の二次電池２は、正極端子４と負極端子５が何れも同じ向きとなるように蓄電池ケース３に収容され、並列接続されている。
【００５９】
また、上記第１実施形態において正極端子４はオネジであり、負極端子５はメネジとした。しかし、これに代えて、本実施形態では、図１８に示すように、正極端子４も負極端子５もオネジとし、正極端子４のオネジを負極端子５のオネジよりも長いものとした。
【００６０】
この場合、接続部材６は二つ、使用される。一つは、５つの二次電池２の正極端子４を相互に電気的に接続するのに用いられ、もう一つは、５つの二次電池２の負極端子５を相互に電気的に接続するのに用いられる。各接続部材６は、バスバー８と、５つの六角ナット９と、を含んで構成されている。
【００６１】
参考までに、何れか二次電池２を、正極端子４と負極端子５を逆さにして蓄電池ケース３に保持させた様子を図１９に示す。図１９に示すように、一般的に、オネジの長さにおける差異は、視覚的に認識し難いものである。このように正極端子４も負極端子５もオネジである場合、正極部分１１や負極部分１２に対する蓄電池キャップ７の物理的な干渉の有無を利用する上述の技術アイデアは一層有益となる。
【符号の説明】
【００６２】
１  蓄電池（組電池）
２  二次電池（有極発電要素）
３  蓄電池ケース（保持部材）
３ｂ  周壁
３ｇ  突部
４  正極端子
５  負極端子
６  接続部材
７  蓄電池キャップ（保護蓋）
７ｄ  第２鍔部（鍔部）
７ｅ  内面
７ｈ  オネジ干渉部（第１実施形態における選択的干渉部）
７ｊ  窪み部
１１  正極部分
１２  負極部分
１６  リブ部（第４実施形態における選択的干渉部）
A  太線矢印（取り付け方向）
【図１】
0005587687.tif 000002
【図２】
0005587687.tif 000003
【図３】
0005587687.tif 000004
【図４】
0005587687.tif 000005
【図５】
0005587687.tif 000006
【図６】
0005587687.tif 000007
【図７】
0005587687.tif 000008
【図８】
0005587687.tif 000009
【図９】
0005587687.tif 000010
【図１０】
0005587687.tif 000011
【図１１】
0005587687.tif 000012
【図１２】
0005587687.tif 000013
【図１３】
0005587687.tif 000014
【図１４】
0005587687.tif 000015
【図１５】
0005587687.tif 000016
【図１６】
0005587687.tif 000017
【図１７】
0005587687.tif 000018
【図１８】
0005587687.tif 000019
【図１９】
0005587687.tif 000020
【図２０】
0005587687.tif 000021
【図２１】
0005587687.tif 000022